(57)【要約】【課題】  部品点数や組立工数の削減が図られたプラスチックレンズを提供する。【解決手段】  レンズ作用を成す中央部１１ａとその中央部１１ａの周囲に広がる鍔部１１ｂとを有する本体部１１を透明プラスチック材料で、且つ、中央部１１ａを露出させるとともに鍔部１１ｂを覆う周囲部１２を不透明材料で２色射出成型した。【選択図】  図３
2006337895.tif 000002
【特許請求の範囲】
【請求項１】
レンズ作用を成す中央部と該中央部周囲に広がる鍔部とを有する透明プラスチック材料と、前記中央部を露出させるとともに前記鍔部を覆う不透明材料との２色射出成型により形成されてなることを特徴とするプラスチックレンズ。
【請求項２】
前記不透明材料が前記鍔部を覆うとともに前記中央部周辺を覆い該中央部の、該不透明材料で覆われた周辺よりも中央寄りの領域を露出させるものであることを特徴とする請求項１記載のプラスチックレンズ。
【発明の詳細な説明】
【技術分野】
【０００１】
本発明は、プラスチックレンズに関する。
【背景技術】
【０００２】
従来より、撮影装置の１つであるカメラには、射出成形金型のキャビティ内にプラスチック材料を射出し、冷却後に成形品を取り出す工程を経て製造されるプラスチックレンズが多用されている。このようなプラスチックレンズは、低価格性と携帯性に優れたコンパクトカメラに好適に用いられる。この点は従前の銀塩フイルム上に写真撮影を行なうカメラでも、近年の、撮像素子上に被写体を結像させて画像データを生成するタイプのデジタルカメラでも同様である。
【０００３】
また、近年では、携帯電話やＰＤＡ（Ｐｅｒｓｏｎａｌ  Ｄｉｇｉｔａｌ  Ａｓｓｉｓｔａｎｔ）などといった小型機器に、被写体を撮影してデジタルの撮影画像を取得する撮影装置を内蔵することが広範に行なわれている。日ごろから常に携帯している小型機器に撮影装置が備えられることによって、デジタルカメラやビデオカメラを持ち運ぶ手間をかけずに、いつでも手軽に撮影を行なうことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるなどという利点もある。このような機器に内蔵されている撮影装置にも、プラスチックレンズが好適に用いられている。
【０００４】
一般に、レンズを経由して入射してきた被写体光には、正常光以外に、そのレンズ周辺部の収差に起因する、本来の光路からずれた光（フレア光）が含まれる。このため、例えば撮像素子上における周辺画像はフレア光により輪郭の歪んだものとなる。そこで、フレア光の影響を抑えるために、レンズの周辺部に薄肉のプラスチック成形品や絞り加工した金属板を接着して固定する技術が提案されている（特許文献１参照）。また、フレア光のみを遮光する遮光マスクをレンズ面に印刷する技術も提案されている（特許文献２参照）。
【特許文献１】実開平６−６４２１８号公報
【特許文献２】特許第２５０７１６６号公報
【発明の開示】
【発明が解決しようとする課題】
【０００５】
しかし、特許文献１に提案された、レンズの周辺部にプラスチック成形品や金属板を接着して固定する技術では、プラスチック成形品や金属板および接着剤等といった部品が必要であり、従って部品点数や組立工数が多いという問題がある。また、特許文献２に提案された、レンズ面に遮光マスクを印刷する技術では、組立工数が多いという問題がある。
【０００６】
本発明は、上記事情に鑑み、部品点数や組立工数の削減が図られたプラスチックレンズを提供することを目的とする。
【課題を解決するための手段】
【０００７】
上記目的を達成する本発明のプラスチックレンズは、
レンズ作用を成す中央部とその中央部周囲に広がる鍔部とを有する透明プラスチック材料と、上記中央部を露出させるとともに上記鍔部を覆う不透明材料との２色射出成型により形成されてなることを特徴とする。
【０００８】
本発明のプラスチックレンズは、レンズ作用を成す中央部とその中央部周囲に広がる鍔部とを透明プラスチック材料で、且つその中央部を露出させるとともにその鍔部を覆う部分を不透明材料で２色射出成型したものである。従って、従来の、レンズの周辺部にプラスチック成形品や金属板を接着して固定する技術と比較し、部品点数や組立工数が削減される。また、レンズ面に遮光マスクを印刷する技術と比較し、組立工数の削減が図られる。
【０００９】
ここで、上記不透明材料が上記鍔部を覆うとともに上記中央部周辺を覆いその中央部の、その不透明材料で覆われた周辺よりも中央寄りの領域を露出させるものであってもよい。
【発明の効果】
【００１０】
本発明のプラスチックレンズによれば、部品点数や組立工数の削減を図ることができる。
【発明を実施するための最良の形態】
【００１１】
以下、本発明の実施の形態について説明する。
【００１２】
図１および図２は、本発明の一実施形態のプラスチックレンズが組み込まれた携帯電話の、それぞれ表面および裏面を示す外観斜視図である。
【００１３】
図１および図２に示す携帯電話１００は、上部１１０と下部１２０とからなる折り畳み式の、撮影装置が内蔵された携帯電話である。
【００１４】
上部１１０には、図１に示すように、画像信号に基づく画像が表示される表示画面１１１と、スピーカからの音声を放つための送話口１１２と、携帯電話機能のためのアンテナ１１３とが備えられている。また、上部１１０には、図２に示すように、詳細は後述するが、本発明の一実施形態のプラスチックレンズを有する撮影レンズ部１が備えられている。
【００１５】
一方、下部１２０には、図１に示すように、携帯電話機型の各種の操作ボタンからなる電源／切替ボタン１２１＿１およびメニュー選択／決定ボタン１２１＿２を含む操作部１２１と、話者の声をマイクロホンに伝えるための受話口１２２が設けられている。
【００１６】
図３は、図２に示す撮影レンズ部に備えられたプラスチックレンズの断面図である。
【００１７】
図３に示すプラスチックレンズ１０は、図２に示す撮影レンズ部１に備えられており、このプラスチックレンズ１０には、レンズ作用を成す中央部１１ａとその中央部１１ａの周囲に広がる鍔部１１ｂとを有する本体部１１が備えられている。この本体部１１は、透明プラスチック材料から形成されている。
【００１８】
また、このプラスチックレンズ１０には、中央部１１ａを露出させるとともに鍔部１１ｂを覆う周囲部１２が備えられている。この周囲部１２は、不透明プラスチック材料から形成されている。
【００１９】
本実施形態のプラスチックレンズ１０は、レンズ作用を成す中央部１１ａとその中央部１１ａの周囲に広がる鍔部１１ｂとを透明プラスチック材料で、且つ中央部１１ａを露出させるとともに鍔部１１ｂを覆う周囲部１２を不透明材料で２色射出成型したものである。従って、従来の、レンズの周辺部にプラスチック成形品や金属板を接着して固定する技術と比較し、部品点数や組立工数が削減される。また、レンズ面に遮光マスクを印刷する技術と比較し、組立工数の削減が図られる。
【００２０】
図４は、撮影レンズ部を構成するプラスチックレンズの効果を説明するための図である。
【００２１】
図４には、撮影レンズ部１を構成するプラスチックレンズ１０および通常のレンズ２０と、ＣＣＤ固体撮像素子（もしくはＣＭＯＳ固体撮像素子等の撮像素子）１３０とが示されている。
【００２２】
例えば、本体部１１のみで構成されたプラスチックレンズでは、ＣＣＤ固体撮像素子１３０上における周辺画像はフレア光の影響により輪郭の歪んだものとなる。本実施形態では、フレア光の影響を抑えるために、図３を参照して説明したように、２色射出成型で、本体部１１を透明材料で形成するとともに、中央部１１ａの周囲に広がる鍔部１１ｂを覆う周囲部１２が不透明材料で形成されている。このため、プラスチック１０に絞りが設けられたこととなり、プラスチック１０に入射してきた被写体光Ａのうちの鍔部１１ｂの収差に起因するフレア光による影響が小さく抑えられる。従って、レンズ２０を経由してＣＣＤ固体撮像素子１３０上に結像される被写体像の輪郭の歪が軽減される。
【００２３】
図５は、図１、図２に示す携帯電話の内部の概略構成を示すブロック図である。
【００２４】
この携帯電話１００には、図４に示す、プラスチックレンズ１０および通常のレンズ２０を備えた撮影レンズ部１と、ＣＣＤ固体撮像素子１３０が備えられている。ＣＣＤ固体撮像素子１３０は、撮影レンズ部１を経由して入射してきた被写体光を捉えて画像信号を生成する。
【００２５】
また、この携帯電話１００には、ＣＣＤ固体撮像素子１３０で得られた画像信号を入力して、利得調整、Ａ／Ｄ変換、ホワイトバランス補正、ガンマ補正等の各種画像処理を行なう画像処理部１４０が備えられている。
【００２６】
さらに、この携帯電話１００には、前述した表示画面１１１が備えられており、この表示画面１１１上に、画像処理部１４０で画像処理された画像信号に基づいた画像が表示される。
【００２７】
また、この携帯電話１００には、記録部１５０が備えられており、画像処理部１４０における、さらに圧縮処理の行なわれた画像信号が送られてその記録部１５０に配備された画像メモリ（図示せず）に画像信号が記録される。
【００２８】
さらに、この携帯電話１００には、図１にも示す、多数の操作ボタンが配列されそれらの操作ボタンの操作の検出が行なわれる操作部１２１、および制御部１６０が備えられており、この操作部１２１における操作ボタンの操作状態に基づいて、画像処理部１４０、記録部１５０、表示画面１１１、および後述する通信部１７０の動作が制御部１６０で制御される。
【００２９】
この図５に示すマイクロホン１８０は、図１に示す受話口１２２の内側の位置に配備されていて話者の声をピックアップするものであり、スピーカ１９０は、図１に示す送話口１１２の内側に配備されていて、電話の相手から送られてきた音声を発するものである。
【００３０】
通信部１７０は、それらマイクロホン１８０とスピーカ１９０、さらに図１、図２にも示すアンテナ１１３に接続され、制御部１６０の制御を受けて、電話のための通信を担当している。この通信部１７０はいわゆる電子メールの送受信も担当するが、本発明の特徴とは直接な関係がないため電話や電子メールの機能についてはこれ以上の詳細説明は省略する。
【００３１】
このように構成された携帯電話１００で撮影を行なうには、先ず図１に示すように上部１１０を開き、操作部１２１に備えられた操作ボタンのうちの電源／切替ボタン１２１＿１を一秒以上押し続ける。すると、この携帯電話１００に電源が投入される。電源が投入された直後は電話機能のみがオンとなり、その電源／切替ボタン１２１＿１を今度は短時間だけ押すとカメラ機能主体のモードとなる。このモードでは電話機能は受信の待受状態となり、発信することはできない。その電源／切替ボタン１２１＿１をもう一度短時間押すとカメラ機能はオフとなり電話機能のみがオンとなる。さらに、いずれのモードにあるときであっても、その電源／切替ボタン１２１＿１を再度１秒以上押し続けると電源オフとなる。
【００３２】
カメラ機能主体のモードにあるときに、メニュー選択／決定ボタン１２１＿２が操作されることにより撮影が行なわれる。ここで、撮影レンズ１を構成するプラスチックレンズ１０には、中央部１１ａの周囲に広がる鍔部１１ｂを覆う周囲部１２が不透明材料で形成されているため、入射してきた被写体光のうちの鍔部１１ｂの収差に起因するフレア光による影響が小さく抑えられる。従って、ＣＣＤ固体撮像素子１３０上に輪郭の歪が軽減された被写体像が結像されることとなり高品質の画像を得ることができる。
【００３３】
図６は、図３に示すプラスチックレンズとは異なるプラスチックレンズの断面図である。
【００３４】
図６に示すプラスチックレンズ３０には、レンズ作用を成す中央部３１ａとその中央部３１ａの周囲に広がる鍔部３１ｂとを有する本体部３１が備えられている。この本体部３１は、透明プラスチック材料から形成されている。また、不透明材料からなる周囲部３２が鍔部３１ｂを覆うとともに中央部３１ａの周辺を覆い、その中央部３１ａの、周囲部３２で覆われた周辺よりも中央寄りの領域を露出させるものである。
【００３５】
このプラスチックレンズ３０は、レンズ作用を成す中央部３１ａとその中央部３１ａの周囲に広がる鍔部３１ｂとを透明プラスチック材料で、且つ中央部３１ａを露出させるとともに鍔部３１ｂを覆う周囲部３２を不透明材料で２色射出成型したものである。このようなプラスチックレンズ３０を用いて部品点数や組立工数を削減してもよい。
【００３６】
尚、本実施形態では、携帯電話に組み込まれたプラスチックレンズの例で説明したが、本発明のプラスチックレンズは、例えばカメラやＰＤＡ等の機器に組み込まれていてもよい。
【図面の簡単な説明】
【００３７】
【図１】本発明の一実施形態のプラスチックレンズが組み込まれた携帯電話の表面を示す外観斜視図である。
【図２】本発明の一実施形態のプラスチックレンズが組み込まれた携帯電話の裏面を示す外観斜視図である。
【図３】図２に示す撮影レンズ部に備えられたプラスチックレンズの断面図である。
【図４】撮影レンズ部を構成するプラスチックレンズの効果を説明するための図である。
【図５】図１、図２に示す携帯電話の内部の概略構成を示すブロック図である。
【図６】図３に示すプラスチックレンズとは異なるプラスチックレンズの断面図である。
【符号の説明】
【００３８】
１  撮影レンズ部
１０，３０  プラスチックレンズ
１１，３１  本体部
１１ａ，３１ａ  中央部
１１ｂ，３１ｂ  鍔部
１２，３２  周囲部
２０  レンズ
１００  携帯電話
１１０  上部
１１１  表示画面
１１２  送話口
１１３  アンテナ
１２０  下部
１２１  操作部
１２１＿１  電源／切替ボタン
１２１＿２  メニュー選択／決定ボタン
１２２  受話口
１３０  ＣＣＤ固体撮像素子
１４０  画像処理部
１５０  記録部
１６０  制御部
１７０  通信部
１８０  マイクロホン
１９０  スピーカ
【図１】
2006337895.tif 000003
【図２】
2006337895.tif 000004
【図３】
2006337895.tif 000005
【図４】
2006337895.tif 000006
【図５】
2006337895.tif 000007
【図６】
2006337895.tif 000008